(57)【要約】  本発明は、衛星デジタルオーディオラジオサービス（ＳＤＡＲＳ）コンテンツストリームを受信して格納するための携帯型メディアプレーヤーを提供する。また、集積アンテナ及びドッキングステーション、プレーヤーに取り外し可能に接続されるＳＤＡＲＳ受信器モジュール、ＳＤＡＲＳ受信器を種々のＳＤＡＲＳ対応デバイスに接続するためのデジタルトランシーバ回路、ＳＤＡＲＳ  デジタルアンテナ、及びＳＤＡＲＳ加入カートリッジ等の関連のデバイス、並びにこれを作動させる方法を提供する。
2009510944.tif 000002
【特許請求の範囲】
【請求項１】
携帯型デジタルメディアプレーヤーと携帯型ＳＤＡＲＳ受信器モジュールとを備えるＳＤＡＲＳ受信器及びデジタルメディアプレーヤーシステムであって、
前記携帯型デジタルメディアプレーヤーは、第１の通信インタフェース、記憶装置、制御装置、ユーザーインタフェース、及び第１のコネクタを有し、前記携帯型ＳＤＡＲＳ受信器モジュールは、前記第１のコネクタを経由して前記プレーヤーに取り外し可能に電気的に接続するようになった第２のコネクタ、アンテナ、ＳＤＡＲＳ信号を受信してその信号からプログラムチャンネルを取り出すＳＤＡＲＳチューナー及びベースバンド処理装置、及び第２の通信インタフェースを有しており、
前記プレーヤー及び前記ＳＤＡＲＳ受信器モジュールは、相互に接続されると、前記第１の通信インタフェース及び前記第２の通信インタフェースを経由して、少なくとも１つの制御信号及び前記ＳＤＡＲＳ信号の少なくとも一部を含む信号を相互に送受信するようになっており、
前記制御信号は、前記ユーザーインタフェースからのユーザー入力信号に応答して前記ＳＤＡＲＳ受信器モジュールに送信されたプログラムチャンネルの中から選択するための、前記携帯型デジタルメディアプレーヤーからの信号を含み、前記ＳＤＡＲＳ信号の少なくとも一部は、前記ＳＤＡＲＳ受信器モジュールが取り出し前記プレーヤーに送信される、前記選択プログラムチャンネルを含むようになっており、
前記制御装置は、前記プレーヤーが前記ＳＤＡＲＳ受信器モジュールに接続されていない場合及び前記アンテナが前記ＳＤＡＲＳ信号を受信できない場合、前記プレーヤーでの再生に向けて、少なくとも前記選択プログラムチャンネルを前記記憶装置に格納できるようになっており、前記制御装置は、前記プレーヤーが前記ＳＤＡＲＳ受信器モジュールに接続されている場合、前記ＳＤＡＲＳ受信器モジュールで受信したままの前記ＳＤＡＲＳ信号を再生できるようになっていることを特徴とするＳＤＡＲＳ受信器及びデジタルメディアプレーヤーシステム。
【請求項２】
前記第１の通信インタフェース及び前記第２の通信インタフェースの各々は、双方向シリアル通信信号を送受信できるようになっていることを特徴とする請求項１に記載のＳＤＡＲＳ受信器及びデジタルメディアプレーヤーシステム。
【請求項３】
前記第１の通信インタフェース及び前記第２の通信インタフェースの各々は、バスマルチプレクサを備えることを特徴とする請求項１に記載のＳＤＡＲＳ受信器及びデジタルメディアプレーヤーシステム。
【請求項４】
前記ＳＤＡＲＳ受信器モジュールは、前記ＳＤＡＲＳ信号の携帯受信のために、前記アンテナ、前記ＳＤＡＲＳチューナー、及び前記ベースバンド処理装置に電力を供給するバッテリを備えることを特徴とする請求項１に記載のＳＤＡＲＳ受信器及びデジタルメディアプレーヤーシステム。
【請求項５】
前記プレーヤーは、前記ＳＤＡＲＳ受信器モジュールの前記バッテリよりも小型のバッテリを備え、前記プレーヤーの外形寸法を最小にするようになっていることを特徴とする請求項４に記載のＳＤＡＲＳ受信器及びデジタルメディアプレーヤーシステム。
【請求項６】
前記ＳＤＡＲＳ受信器モジュールは、プレーヤーの再生要件に応じて、圧縮ＳＤＡＲＳ信号を、非圧縮形式及び別の圧縮形式の１つに変換するようになっていることを特徴とする請求項１に記載のＳＤＡＲＳ受信器及びデジタルメディアプレーヤーシステム。
【請求項７】
ＳＤＡＲＳ対応のメディアプレーヤーを操作する方法であって、
前記メディアプレーヤーをＳＤＡＲＳ受信器に接続する段階と、
前記ＳＤＡＲＳ受信器で取り出した圧縮形式の前記ＳＤＡＲＳ信号を前記ＳＤＡＲＳ受信器から取得して、前記圧縮ＳＤＡＲＳ信号を前記メディアプレーヤーの記憶装置に格納する段階と、
前記メディアプレーヤーを前記ＳＤＡＲＳ受信器から取り外す段階と、
前記メディアプレーヤーで前記ＳＤＡＲＳ信号を再生する段階と、
を含むことを特徴とする方法。
【請求項８】
前記ＳＤＡＲＳ受信器に記憶装置を準備する段階と、
前記ＳＤＡＲＳ受信器に、前記メディアプレーヤーから取り外した場合に前記ＳＤＡＲＳ信号の少なくとも一部を格納するように命令する段階と、
を更に含むことを特徴とする請求項７に記載の方法。
【請求項９】
前記取得する段階は、前記ＳＤＡＲＳ受信器で受信したままの前記ＳＤＡＲＳ信号を再生する段階を更に含むことを特徴とする請求項７に記載の方法。
【請求項１０】
前記メディアプレーヤーを操作してライブ再生モードとユーザー再生モードとを選択する段階を更に含み、前記ライブ再生モードでは、前記メディアプレーヤーは前記ＳＤＡＲＳ受信器に接続され、前記ＳＤＡＲＳ受信器で受信したままの前記ＳＤＡＲＳ信号が前記メディアプレーヤーで再生され、前記ユーザー再生モードでは、前記メディアプレーヤーはその記憶装置に格納されたＳＤＡＲＳ信号を再生し、前記メディアプレーヤーは前記ＳＤＡＲＳ受信器に接続する必要がないことを特徴とする請求項９に記載の方法。
【請求項１１】
メディアプレーヤーとＳＤＡＲＳ受信装置との間の通信を可能にする、ＳＤＡＲＳ受信装置へのインタフェースと、
前記ＳＤＡＲＳ受信装置で受信した複数のＳＤＡＲＳチャンネルの１つを選択するためのユーザーインタフェースと、
制御装置と、
記憶装置と、
を備える携帯型メディアプレーヤーであって、
前記制御装置は、前記ＳＤＡＲＳ受信装置が前記メディアプレーヤーに前記インタフェース経由で接続される場合、前記記憶装置に格納するために、前記ＳＤＡＲＳ受信装置が複数のＳＤＡＲＳチャンネルの中の選択された１つを送るように命令するための制御信号を前記ＳＤＡＲＳ受信装置に送るようにプログラム可能であり、
前記制御装置は、前記ＳＤＡＲＳ受信装置が前記メディアプレーヤーに接続されていない場合、前記記憶装置からの複数のＳＤＡＲＳチャンネルの中の選択された１つを再生するようにプログラム可能であることを特徴とする携帯型メディアプレーヤー。
【請求項１２】
前記インタフェースは、前記ＳＤＡＲＳ受信装置上の対応する電気コネクタを収容するようになった電気コネクタであることを特徴とする請求項１１に記載の携帯型メディアプレーヤー。
【請求項１３】
前記メディアプレーヤー及び前記ＳＤＡＲＳ受信装置の各々は、他のハウジングに取り外し可能に接触するようになったハウジングを備え、メディアプレーヤー及びＳＤＡＲＳ受信装置の組み合わせユニットを作るようになっていることを特徴とする請求項１１に記載の携帯型メディアプレーヤー。
【請求項１４】
第１のトランシーバーインタフェースを有する携帯型デジタルメディアプレーヤーが取り外し可能に接続するようになったプレーヤーインタフェースを備えるドッキングステーションと、
アンテナ、ＳＤＡＲＳ信号を受信すると共にそこからのプログラムチャンネルを取り出すＳＤＡＲＳチューナー及びベースバンド処理装置、及び第２のトランシーバーインタフェースを備え、前記ドッキングステーションに接続されるＳＤＡＲＳ集積アンテナと、
第１のトランシーバーインタフェース及び第２のトランシーバーインタフェースのそれぞれを経由して、前記ドッキングステーションと前記ＳＤＡＲＳ集積アンテナとを電気的に接続する導体と、
を備えるＳＤＡＲＳ受信システムであって、
前記携帯型デジタルメディアプレーヤーからの前記プログラムチャンネルの中の１つを選択するための制御信号は、前記導体を経由してＳＤＡＲＳ集積アンテナに供給され、前記ＳＤＡＲＳ集積アンテナで取り出される前記選択プログラムチャンネルは、前記導体を経由して前記携帯型デジタルメディアプレーヤーに供給されることを特徴とするＳＤＡＲＳ受信システム。
【請求項１５】
前記ＳＤＡＲＳ集積アンテナは、前記ベースバンド処理装置によって前記ＳＤＡＲＳ信号から取り出したデータ及びデジタルオーディオの少なくとも１つを、前記導体を経由して前記携帯型デジタルメディアプレーヤーに送るようになっていることを特徴とする請求項１４に記載のＳＤＡＲＳ受信システム。
【請求項１６】
前記第１のトランシーバーインタフェース及び前記第２のトランシーバーインタフェースは、前記導体によって双方向多重通信を行うようになっていることを特徴とする請求項１４に記載のＳＤＡＲＳ受信システム。
【請求項１７】
前記導体は、シリアルバスであることを特徴とする請求項１４に記載のＳＤＡＲＳ受信システム。
【請求項１８】
前記導体は、二線式差動通信を使用することを特徴とする請求項１４に記載のＳＤＡＲＳ受信システム。
【請求項１９】
前記ドッキングステーションは電源に接続されて前記導体に電力を供給するようになっており、前記導体は、前記ドッキングステーションから前記ＳＤＡＲＳ集積アンテナに電力を供給するための２本の電力ラインを更に含むことを特徴とする請求項１４に記載のＳＤＡＲＳ受信システム。
【請求項２０】
前記ドッキングステーションは電源に接続され、前記導体は、前記ドッキングステーションから前記ＳＤＡＲＳ集積アンテナへ電力を供給するための電力供給導体及び接地導体、及び前記ドッキングステーションと前記ＳＤＡＲＳ集積アンテナとの間の双方向通信を可能にする第１の通信導体及び第２の通信導体を備えることを特徴とする請求項１４に記載のＳＤＡＲＳ受信システム。
【請求項２１】
前記ＳＤＡＲＳ受信器は更に記憶装置を備え、前記ＳＤＡＲＳ受信器は、前記メディアプレーヤーが前記ドッキングステーション及びＳＤＡＲＳ受信器から取り外された場合に、前記ＳＤＡＲＳ信号の少なくとも一部を格納することができることを特徴とする請求項１４に記載のＳＤＡＲＳ受信システム。
【請求項２２】
前記ＳＤＡＲＳ受信器及び前記メディアプレーヤーの各々は、リムーバブル記憶装置に関するメモリインタフェースを備え、前記ＳＤＡＲＳ受信器は、前記ＳＤＡＲＳ受信器の前記メモリインタフェースに接続される場合、前記リムーバブル記憶装置に前記ＳＤＡＲＳ信号の少なくとも一部を格納するようになっており、前記メディアプレーヤーは、前記メディアプレーヤーの前記メモリインタフェースに接続される場合、前記リムーバブル記憶装置に格納された前記ＳＤＡＲＳ信号を再生するようになっていることを特徴とする請求項１４に記載のＳＤＡＲＳ受信システム。
【請求項２３】
前記メディアプレーヤーが前記ドッキングステーション及びＳＤＡＲＳ受信器から取り外されて、前記リムーバブル記憶装置が前記メディアプレーヤーの前記メモリインタフェースに接続される場合、前記メディアプレーヤーは、前記リムーバブル記憶装置に格納された前記ＳＤＡＲＳ信号を再生するようになっていることを特徴とする請求項２２に記載のＳＤＡＲＳ受信システム。
【請求項２４】
ＳＤＡＲＳ対応のメディアプレーヤーを操作する方法であって、
前記メディアプレーヤーを、ＳＤＡＲＳ受信器に電気接続されるドッキングステーションに接続する段階と、
前記ＳＤＡＲＳ受信器から該ＳＤＡＲＳ受信器が取り出した圧縮形式の前記ＳＤＡＲＳ信号を取得して、前記圧縮ＳＤＡＲＳ信号を前記メディアプレーヤーの前記記憶装置に格納する段階と、
前記メディアプレーヤーを前記ドッキングステーション及びＳＤＡＲＳ受信器から取り外す段階と、
メディアプレーヤーによって前記ＳＤＡＲＳ信号を再生する段階と、
を含むことを特徴とする方法。
【請求項２５】
前記ＳＤＡＲＳ受信器に記憶装置を準備する段階と、
前記メディアプレーヤーを前記ドッキングステーション及びＳＤＡＲＳ受信器から取り外した場合、前記ＳＤＡＲＳ受信器に前記ＳＤＡＲＳ信号の少なくとも一部を格納するように命令する段階と、
を更に含むことを特徴とする請求項２４に記載の方法。
【請求項２６】
前記圧縮ＳＤＡＲＳ信号を、メディアプレーヤーの再生要件に応じて、非圧縮形式及び他の圧縮形式の１つに変換する段階を更に含むことを特徴とする請求項２４に記載の方法。
【請求項２７】
ＳＤＡＲＳをＳＤＡＲＳ互換の再生デバイスへ供給するためのデジタルアンテナモジュールであって、
ＳＤＡＲＳ信号を受信するためのアンテナと、
前記ＳＤＡＲＳ信号を処理してそこからプログラムチャンネルを取り出すためのＳＤＡＲＳチューナー及びベースバンド処理装置を備えるＳＤＡＲＳ受信器モジュールと、
対応する通信インタフェースを有するＳＤＡＲＳ互換再生デバイスに接続するための通信インタフェースと、
を備え、
前記デジタルアンテナモジュールと前記ＳＤＡＲＳ互換再生デバイスとが接続される場合、前記デジタルアンテナモジュールと前記ＳＤＡＲＳ互換再生デバイスはそれぞれの通信インタフェース経由で相互に信号を送受信し、前記信号は、少なくとも１つの制御信号及び前記ＳＤＡＲＳ信号の少なくとも一部を含み、
前記制御信号は、ＤＡＲＳ互換再生デバイスに供給されたユーザー入力信号に応答してデジタルアンテナモジュールへ送られるプログラムチャンネルの中から選択するための、前記ＳＤＡＲＳ互換再生デバイスからの信号を含み、
前記ＳＤＡＲＳ信号の少なくとも一部は、デジタルアンテナモジュールが取り出し、前記ＳＤＡＲＳ互換再生デバイスに送られた、選択プログラムチャンネルを含む、
ことを特徴とするデジタルアンテナ。
【請求項２８】
前記デジタルアンテナモジュールは、前記ベースバンド処理装置を経由して前記ＳＤＡＲＳ信号から取り出しデータ及びデジタルオーディオの中の少なくとも１つを前記通信インタフェースのそれぞれを経由してＳＤＡＲＳ互換  再生デバイスへ送信するようになっていることを特徴とする請求項２７に記載のデジタルアンテナ。
【請求項２９】
前記通信インタフェースのそれぞれは、双方向多重通信を行うようになっていることを特徴とする請求項２７に記載のデジタルアンテナ。
【請求項３０】
前記通信インタフェースのそれぞれは、前記デジタルアンテナモジュールと前記ＳＤＡＲＳ互換再生デバイスとの間にシリアルバスを提供することを特徴とする請求項２７に記載のデジタルアンテナ。
【請求項３１】
前記通信インタフェースのそれぞれは、二線式差動通信を用いることを特徴とする請求項２７に記載のデジタルアンテナ。
【請求項３２】
前記ＳＤＡＲＳ互換再生デバイスは、電源に接続され、前記デジタルアンテナモジュール及び前記ＳＤＡＲＳ互換再生デバイスを接続する導体を更に備え、前記導体は、前記通信インタフェースのそれぞれを相互に接続するためのシリアルバスと、前記ＳＤＡＲＳ互換再生デバイスから前記デジタルアンテナモジュールへ電力を供給する２本の電力ラインとを備えることを特徴とする請求項２７に記載のデジタルアンテナ。
【請求項３３】
前記ＳＤＡＲＳ互換再生デバイスは、前記デジタルアンテナモジュールから延びる２本の通信ラインと２本の電力ラインを受ける四線式コネクタアダプタを備え、前記電力ラインは、前記ＳＤＡＲＳ互換再生デバイスから前記デジタルアンテナモジュールへ電力を供給し、前記２本の通信ラインは、二線式差動通信を提供することを特徴とする請求項２７に記載のデジタルアンテナ。
【請求項３４】
前記２本の通信ライン及通信インタフェースのそれぞれは、前記デジタルアンテナモジュールと前記ＳＤＡＲＳ互換再生デバイスとの間で時分割多重、時分割二重通信を提供するようになっていることを特徴とする請求項２７に記載のデジタルアンテナ。
【請求項３５】
第１のトランシーバーインタフェースを有する携帯型デジタルメディアプレーヤーを取り外し可能に接続するようになったプレーヤーインタフェースを備えるドッキングステーションと、
アンテナ、ＳＤＡＲＳ信号を受信してそこからプログラムチャンネルを取り出すＳＤＡＲＳチューナー及びベースバンド処理装置、及び第２のトランシーバーインタフェースを備え、前記ドッキングステーションに接続されるＳＤＡＲＳ集積アンテナと、
前記第１のトランシーバーインタフェース及び前記第２のトランシーバーインタフェースをそれぞれ経由して、前記ドッキングステーションと前記ＳＤＡＲＳ集積アンテナとを電気的に接続する導体と、
を備えるＳＤＡＲＳ受信システムにおいて、
プログラムチャンネルの中から選択するための前記携帯型デジタルメディアプレーヤーからの制御信号は、前記導体を経由して前記ＳＤＡＲＳ集積アンテナに供給され、前記ＳＤＡＲＳ集積アンテナから取り出した選択プログラムチャンネルは、前記導体を経由して前記携帯型デジタルメディアプレーヤーに供給されることを特徴とするＳＤＡＲＳ受信システム。
【請求項３６】
アンテナ、ＳＤＡＲＳ信号を受信してそこからプログラムチャンネルを取り出すＳＤＡＲＳチューナー及びベースバンド処理装置を備えるＳＤＡＲＳ集積アンテナモジュールと、
前記ＳＤＡＲＳ集積アンテナモジュールを、互換性のある第２のコネクタを有する外部デバイスへ電気的に接続するための第１のコネクタと、
前記第２のコネクタを経由して受信した制御信号に応答して、取り出したプログラムチャンネルの選択した１つを前記第１のコネクタに供給するようにプログラム可能な制御装置と、
を備えるＳＤＡＲＳ受信システムにおいて、
前記ＳＤＡＲＳ集積アンテナモジュール及び制御装置は、前記第１のコネクタが外面に形成されて前記第２のコネクタにアクセス可能になっている単一のハウジングを備えるカートリッジによって提供され、
ＳＤＡＲＳ受信システムは、識別子が割り当てられて、前記ＳＤＡＲＳ集積アンテナモジュールが前記第１のコネクタにＳＤＡＲＳ信号を供給する前に起動することを必要とし、
前記制御装置は、前記カートリッジがいずれかの外部デバイスに接続される場合に、前記ＳＤＡＲＳ受信システムの起動状態を維持するようになっていることを特徴とするＳＤＡＲＳ受信システム
【請求項３７】
第１のトランシーバーインタフェースを有する携帯型デジタルメディアプレーヤーを取り外し可能に接続するようになったプレーヤーインタフェースを備えるドッキングステーションと、
アンテナ、ＳＤＡＲＳ信号を受信してそこからプログラムチャンネルを取り出すＳＤＡＲＳチューナー及びベースバンド処理装置、及び第２のトランシーバーインタフェースを備え、前記ドッキングステーションに接続されるＳＤＡＲＳ集積アンテナと、
前記第１のトランシーバーインタフェース及び前記第２のトランシーバーインタフェースをそれぞれ経由して、前記ドッキングステーションと前記ＳＤＡＲＳ集積アンテナとを電気的に接続する導体と、
を備えるＳＤＡＲＳ受信システムにおいて、
プログラムチャンネルの中から選択するための前記携帯型デジタルメディアプレーヤーからの制御信号は、前記導体を経由して前記ＳＤＡＲＳ集積アンテナに供給され、前記ＳＤＡＲＳ集積アンテナから取り出した選択プログラムチャンネルは、前記導体を経由して前記携帯型デジタルメディアプレーヤーに供給されることを特徴とするＳＤＡＲＳ受信システム。
【発明の詳細な説明】
【技術分野】
【０００１】
本発明は、一般に、衛星デジタルオーディオラジオサービス（ＳＤＡＲＳ）コンテンツストリームを受信して格納する携帯型メディアプレーヤー、集積アンテナ及びドッキングステーション等の関連デバイス、プレーヤーに取り外し可能に接続するＳＤＡＲＳ受信器モジュール、デジタルトランシーバ回路、デジタルアンテナ、及びＳＤＡＲＳ加入カートリッジに関し、更にその操作方法に関する。
【背景技術】
【０００２】
ユーザが衛星デジタルオーディオラジオサービス（ＳＤＡＲＳ）コンテンツストリームからのコンテンツを受信して格納できる、手持ち式又は携帯型デジタルメディアプレーヤーの開発が継続的になされている。ＳＤＡＲＳコンテンツストリームとしては、静止画像、テキスト、二値化データといった映像及びデータ、並びにオーディオコンテンツを挙げることができる。一般にこれらの携帯型デジタルメディアプレーヤーは、集積バッテリ、衛星放送受信器及びアンテナ、ＳＤＡＲＳコンテンツストリームからのコンテンツを格納するための記憶デバイス、キーパッド等のユーザ入力デバイス、表示装置、及びプログラム機能を含み、プログラム機能により、ユーザは、ＳＤＡＲＳコンテンツストリーム内に用意されたデータ（例えば、チャンネル番号、曲名、アーチスト等）を用いてコンテンツストリームのチャンネルを選択し、その中からコンテンツを記録して格納したコンテンツを操作することができる。しかしながら、これらの携帯型デジタルメディアプレーヤーは消費電力が大きく比較的大型のバッテリを必要とする。ＳＤＡＲＳコンテンツを格納してそれを操作及び再生できる、小型のデジタルメディアプレーヤーに対するニーズが存在する。
【０００３】
更に、これらの携帯型プレーヤーのユーザは、プレーヤーが強いＳＤＡＲＳ信号から物理的に隔てられることに起因して、又は電池残量不足に起因して、ＳＤＡＲＳコンテンツを受信できないという不都合を被る場合がある。従って、プレーヤーの物理的な位置に関わりなく、デジタルメディアプレーヤー上での再生のための堅牢でオンデマンドのＳＤＡＲＳコンテンツの取得をサポートするニーズが存在する。
【０００４】
更に、一般にＳＤＡＲＳ加入権はユーザが使用する各々のＳＤＡＲＳ受信器ユニットについて購入する必要がある。多くのＳＤＡＲＳ受信器ユニットは複数のキット（例えば、自宅及び／又は自動車キット）で提供されるが、幾つかのＳＤＡＲＳ受信器は、所望のコンフィギュレーション（例えば、可搬性、ドッキング、ユーザーインタフェースオプション）で提供されないので、所望のコンフィギュレーション並びに別の加入費用でもって、別の種類のＳＤＡＲＳ受信器ユニット（例えば、ＳＤＡＲＳ受信器を有する携帯型メディアプレーヤー）の購入が必要となる。従って、ユーザが、異なる場所及びコンフィギュレーションでユニット及び対応する加入権を使用できる、汎用性のあるＳＤＡＲＳ受信器ユニットに対するニーズが存在する。
【発明の開示】
【０００５】
本発明の例示的な実施形態において、メディアプレーヤーとＳＤＡＲＳ受信装置との間の通信を可能にするＳＤＡＲＳ受信装置へのインタフェースと、ＳＤＡＲＳ受信装置経由で受信した複数のＳＤＡＲＳチャンネルの中から１つを選択するためのユーザーインタフェースと、制御装置と、記憶装置とを備える携帯型メディアプレーヤーが提供される。制御装置は、ＳＤＡＲＳ受信装置がインタフェース経由でメディアプレーヤーに接続される場合、制御信号をＳＤＡＲＳ受信装置に送信し、記憶装置に格納するためにＳＤＡＲＳ受信装置に複数のＳＤＡＲＳチャンネルの中の選択された１つを送信するように命令するようにプログラム可能である。制御装置は、ＳＤＡＲＳ受信装置がメディアプレーヤーに接続されていない場合、記憶装置からの複数のＳＤＡＲＳチャンネルの中の選択された１つを再生するようにプログラム可能である。
【０００６】
本発明の別の例示的な実施形態において、第１の通信インタフェース、記憶装置、制御装置、ユーザーインタフェース、及び第１のコネクタを有する携帯型デジタルメディアプレーヤーと、第１のコネクタを経由してプレーヤーに取り外し可能に電気的に接続されるようになった第２のコネクタ、アンテナ、ＳＤＡＲＳ信号を受信してそこからプログラムチャンネルを取り出すようになったＳＤＡＲＳチューナー及びベースバンド処理装置、及び第２の通信インタフェースを有する携帯型ＳＤＡＲＳ受信器モジュールと、を備えるＳＤＡＲＳ受信器及びデジタルメディアプレーヤーシステムが提供される。プレーヤー及びＳＤＡＲＳ受信器モジュールが相互に接続される場合、プレーヤー及びＳＤＡＲＳ受信器モジュールは第１の通信インタフェース及び第２の通信インタフェースを経由して相互に信号を送受信し、信号は、少なくとも１つの制御信号及びＳＤＡＲＳ信号の少なくとも一部である。制御信号は、ユーザーインタフェースからのユーザー入力信号に応答して、ＳＤＡＲＳ受信器モジュールに送信されるプログラムチャンネルの中から選択するための、携帯型デジタルメディアプレーヤーからの信号を含み、ＳＤＡＲＳ信号の少なくとも一部は、ＳＤＡＲＳ受信器モジュールが取り出しプレーヤーに送信される選択プログラムチャンネルを含む。制御装置は、プレーヤーがＳＤＡＲＳ受信器モジュールに接続されていない場合及びアンテナがＳＤＡＲＳ信号を受信できない場合、プレーヤーでの再生に向けて、少なくとも選択プログラムチャンネルを記憶装置に格納できるようになっており、制御装置は、プレーヤーがＳＤＡＲＳ受信器モジュールに接続されている場合、ＳＤＡＲＳ受信器モジュールで受信したままのＳＤＡＲＳ信号を再生できるようになっている。
【０００７】
本発明の別の例示的な実施形態において、第１のトランシーバーインタフェースを有する携帯型デジタルメディアプレーヤーが取り外し可能に接続するようになったプレーヤーインタフェースを備えるドッキングステーションと、アンテナ、ＳＤＡＲＳ信号を受信すると共にそこからのプログラムチャンネルを取り出すＳＤＡＲＳチューナー及びベースバンド処理装置、及び第２のトランシーバーインタフェースを備え、ドッキングステーションに接続されるＳＤＡＲＳ集積アンテナと、第１のトランシーバーインタフェース及び第２のトランシーバーインタフェースのそれぞれを経由して、ドッキングステーションとＳＤＡＲＳ集積アンテナとを電気的に接続する導体と、を備えるＳＤＡＲＳ受信システムが提供される。携帯型デジタルメディアプレーヤーからのプログラムチャンネルの中の１つを選択するための制御信号は、導体を経由してＳＤＡＲＳ集積アンテナに供給され、ＳＤＡＲＳ集積アンテナで取り出される選択プログラムチャンネルは、導体を経由して携帯型デジタルメディアプレーヤーに供給される。
【０００８】
本発明の別の例示的な実施形態において、第１のトランシーバーインタフェース及び第２のトランシーバーインタフェースは、導体を経由して双方向多重通信を行うようになっている。導体はシリアルバスであり、二線式差動通信を用いる。トランシーバーインタフェースは、導体上で多重通信を行うＴＤＭ  ＴＤＤバスマルチプレクサを備えることができる。
【０００９】
本発明の別の例示的な実施形態において、ドッキングステーションは電源に接続され、導体に電力を供給するようになっている。導体は、ドッキングステーションからＳＤＡＲＳ集積アンテナへ電力を供給する２本の電力ラインを備えることができる。
【００１０】
本発明の別の例示的な実施形態において、ＳＤＡＲＳをＳＤＡＲＳ互換の再生デバイスへ供給するためのデジタルアンテナモジュールが提供される。デジタルアンテナモジュールは、ＳＤＡＲＳ信号を受信するためのアンテナと、ＳＤＡＲＳ信号を処理してそこからプログラムチャンネルを取り出すためのＳＤＡＲＳチューナー及びベースバンド処理装置を備えるＳＤＡＲＳ受信器モジュールと、対応する通信インタフェースを有するＳＤＡＲＳ互換再生デバイスに接続するための通信インタフェースと、を備える。デジタルアンテナモジュールとＳＤＡＲＳ互換再生デバイスとが接続される場合、デジタルアンテナモジュールとＳＤＡＲＳ互換再生デバイスはそれぞれの通信インタフェース経由で相互に信号を送受信し、信号は、少なくとも１つの制御信号及びＳＤＡＲＳ信号の少なくとも一部を含む。制御信号は、ＤＡＲＳ互換再生デバイスに供給されたユーザー入力信号に応答してデジタルアンテナモジュールへ送られるプログラムチャンネルの中から選択するための、ＳＤＡＲＳ互換再生デバイスからの信号を含む。ＳＤＡＲＳ信号の少なくとも一部は、デジタルアンテナモジュールが取り出し、ＳＤＡＲＳ互換再生デバイスに送られた、選択プログラムチャンネルを含む。
【００１１】
本発明の前述の及び別の態様、利点、及び新規な特徴は、以下の詳細な説明を添付図面を参照して読むことで容易に理解できるはずである。
【発明を実施するための最良の形態】
【００１２】
全ての図面において同じ参照番号は同じ部品や構成要素を示すことを理解されたい。本発明の例示的な実施形態によれば、デジタルメディアプレーヤーとしての外形寸法が小さくて、バッテリ性能が高く、デジタルメディアプレーヤーが強いＳＤＡＲ信号の存在下にあるか否かに無関係にＳＤＡＲＳコンテンツを確実に捕獲するデジタルプレーヤー及びＳＤＡＲＳ受信システムを得ることができる。
【００１３】
本発明の例示的な実施形態によれば、図１Ｃに示すように、デジタルメディアプレーヤー２２（図１Ａ）に接続することができる集積アンテナモジュール２４及びドッキングステーション２６（図１Ｂ）を備える集積アンテナ及びドッキングシステム２０が設けられている。図１Ｂを参照して以下に詳細に説明するように、集積アンテナモジュール２４は、ＳＤＡＲＳ受信器及びアンテナ、及び集積アンテナモジュール２４とドッキングステーション２６との間の通信及び制御のための、デジタルメディアプレーヤー２２に適合するケーブル２８へのインタフェースを備えている。通信ケーブル２８は四線式であることが好ましく、２本の線はドッキングステーションから集積アンテナモジュール２４への電力供給用であり（例えば、直流電力供給線及び接地線）、残りの２本の線は集積アンテナモジュール２４とドッキングステーション２６（結果的にドッキングステーション２６に接続されたデジタルメディアプレーヤー２２）との間の双方向通信を可能にする。勿論、集積アンテナモジュール２４からドッキングステーション２６への通信ケーブル２８は他のケーブル又は導体の組み合わせを含むこともできることを理解されたい。例えば、ケーブル２８は少ない導体から構成されて一方向の通信のみを行うものでもよい。
【００１４】
図１Ｃの集積アンテナ及びドッキングシステム２０により、ユーザーはデジタルメディアプレーヤー２２をドッキングステーション２６に差し込んで、集積アンテナモジュール２４のＳＤＡＲＳ受信器を制御して（メディアプレーヤーのユーザーインタフェースを経由して）、受信したＳＤＡＲＳコンテンツストリームからのライブコンテンツを再生すること、並びに四線式ケーブルによってデジタルメディアプレーヤー２２に格納するために圧縮ストリームを取得することが可能になる。その後、デジタルメディアプレーヤー２２は、ドッキングステーション２６から取り外すことができ、ユーザーはＳＤＡＲＳ受信器なしの再生用途で持ち歩くことができる。従って、デジタルメディアプレーヤー２２は、ＳＤＡＲＳ受信器、アンテナ、又は受信器を作動させるための大型バッテリを必要としないので小さな外形寸法で設計できるが、格納されたコンテンツの単なる再生はコンテンツの受信に比べて消費電力が少ない。例示的な集積アンテナモジュール２４は図２を参照して以下に説明する。例示的なドッキングステーション２６は図３を参照して以下に説明する。例示的なデジタルメディアプレーヤー２２は図５を参照して以下に説明する。
【００１５】
図２は例示的な集積アンテナモジュール２４のブロック図を示す。集積アンテナモジュール２４は、ＳＤＡＲＳ信号を受信するためのアンテナ４０、チューナー４２、ベースバンド処理装置４４、システム制御装置６８、及びベースバンド処理装置４４をケーブル２８にインタフェース接続するための時分割多重、時分割二重（ＴＤＭ  ＴＤＤ）バスマルチプレクサ等のインタフェース７０を含むことが好ましい。前述のように、ケーブル２８は、電力供給用の２本の線（電力ライン及び接地線）、及び二線式差動通信をサポートする２本の線を含むことが好ましい。ベースバンド処理装置４４は、データバス６４及びデジタルオーディオバス６２を経由してＴＤＭ  ＴＤＤバスマルチプレクサ７０に接続される。しかしながら、ベースバンド処理装置をドッキングステーションにケーブル経由で接続するために、別々の又は別個のラインを用いることができることを理解されたい。
【００１６】
更に図２を参照すると、デジタルオーディオバス６２は、非圧縮オーディオを伝送することが好ましい。デジタルオーディオバス６２は例えば業界で公知のＩ２Ｓフォーマット信号を伝送できる。データバス６４は、非オーディオ又は圧縮オーディオ信号を出力するために使用できる。集積アンテナモジュール２４のシステム制御装置６８は、通信ケーブル２８経由でデジタルメディアプレーヤー２２からの命令を受信するが、プレーヤー２２がドッキングステーション２６に接続される場合、デジタルメディアプレーヤー２２は集積アンテナモジュール２４のＳＤＡＲＳ受信器１５４（つまり、チューナー４２及びベースバンド処理装置４４）を制御できる。例えば、ユーザーは、デジタルメディアプレーヤー２２の制御部を利用して別のＳＤＡＲＳステーションに同調させることができる。命令は、デジタルメディアプレーヤー２２から図２のＴＤＭ  ＴＤＤバスマルチプレクサ７０によって通信ケーブル２８上で多重化された外部制御バス（例えば、ケーブル２８の二線式差動通信リンク）を経由してシステム制御装置６８に伝達される。外部制御バス（例えば、図７のバス１６６参照）は、コマンドレスポンス型通信プロトコルを可能にする送受信ＵＡＲＴラインによる双方向通信をサポートすることが好ましい。システム制御装置６８は、コマンドを受信して受信器１５４を制御する。また、データは、ＴＤＭ  ＴＤＤバス１６６を経由してデジタルメディアプレーヤー２２に送信されることが好ましい。データとしては、例えば圧縮オーディオデータ及び補助データを挙げることができる。補助データは、例えば、最新の株価、スポーツの得点、天気情報、交通情報、ニューズ、ファームウエア最新版、圧縮静止画像、圧縮映像、又はデジタルメディアプレーヤーに表示されることになるアーチスト名及び曲名を含む。以下に例示的な双方向通信の詳細を示す。
【００１７】
図２を更に参照すると、集積アンテナモジュール２４のＳＤＡＲＳ受信器１５４は、２つの衛星及び地上中継器から受信したＳＤＡＲＳブロードキャストストリームを処理するための復調器４６、４８、及び５０で示すような３つの受信器を備えることが好ましく、制御装置５４及びＴＤＭコンバイン及びサービスデマルチプレクサモジュール５２で示すように復調、結合、復号化及び多重分離されてＳＤＡＲＳブロードキャストストリームからチャンネルを取り出すようになっている。ＳＤＡＲＳブロードキャストストリームからの多重分離データはデータポート５６及びデータバス６４に供給される。多重分離された音響や音声はデジタルオーディオバス６２への出力を有するオーディオ復号器５８及び音声復号器６０に供給される。受信したＳＤＡＲＳブロードキャストストリームの処理は、本明細書に引用によって組み込まれている本出願人の米国特許第６，１５４，４５２号及び米国特許第６，２２９，８２４号に詳細に説明されている。集積アンテナモジュール２４は、ケーブル２８を経由してドッキングステーション２２からの電力供給を受けると共に、集積アンテナモジュール２４の各構成部品に電力を供給するための電力管理装置６６を更に備える。
【００１８】
集積アンテナ及びドッキングシステム２０は、プレーヤー２２がドッキングステーション２６に接続されていない場合に、圧縮ストリームを記憶するためのフラッシュ又はマイクロドライブ記憶装置７２（例えば、図２に示す集積アンテナモジュール内）を随意的に含むことができる。この構成において、ドッキングステーション２６上のプレーヤー２２又は別個のユーザーインタフェースは、集積アンテナモジュール（図２）のシステム制御装置に対してどの圧縮オーディオストリームをメモリに記憶するかの指示を出す。これにより、プレーヤー２２がドッキングステーション２６から取り外されている間に、コンテンツを継続的に記憶することができる。その後、プレーヤー２２をドッキングステーション２６に結合すると、記憶されたコンテンツは、ドッキングステーションの記憶装置９４からプレーヤーのメモリ１２６に（すなわち、集積アンテナモジュールのフラッシュ又はマイクロドライブ記憶装置７２からドッキングステーションのメモリ９４、その後、プレーヤーインタフェース３２及びコネクタ３３を経由してプレーヤーメモリ１２６に）、又は直接、集積アンテナモジュール内のフラッシュ又はマイクロドライブ記憶装置７２からプレーヤーのメモリ１２６に、リアルタイムストリームを記録するよりも実質的に高速で転送することができる。更に、プレーヤー２２が堅牢なＳＤＡＲＳ受信を行うことができない状況下であっても、堅牢な記録を集積アンテナモジュール２４において続けることができる。
【００１９】
集積アンテナ及びドッキングシステム２０は、プレーヤー２２がドッキングステーション２６に接続されていない場合に、圧縮マルチメディアデータを格納するための取り外し可能なフラッシュメディア又は取り外し可能なハードドライブ又はマイクロドライブ構成部品等の、取り外し可能な記憶モジュール７６及び対応するインタフェース７４を随意的に内蔵することができる。また、図５に関連して以下に説明するように、プレーヤー２２は、同じ取り外し可能な記憶モジュール７６を収容して、挿入された取り外し可能な記憶モジュール７６からのコンテンツを直接処理するのに必要な、又は取り外し可能な記憶モジュール７６からプレーヤー内蔵の記憶装置に又はフラッシュ又はマイクロドライブｌ２６にコンテンツをコピーするのに必要なインタフェース７４'を内蔵する。これにより、プレーヤー２２がドッキングステーション２６に結合していなくても、ＳＤＡＲＳコンテンツを集積アンテナ及びドッキングシステム２０に継続的に取り込んで保存するすることができる。また、プレーヤー２２がドッキングステーション２６に物理的に接続するか又はその近くに配置されることを必要とせず、取り外し可能な記憶モジュール７６を使用することで、コンテンツをステーション２６からプレーヤー２２へ転送する利便性を得ることができる。更に、複数の記憶モジュール７６を使用すると、記憶モジュール「Ａ」を有する集積アンテナ及びドッキングシステム２０によって別のコンテンツを記録及び格納することができるが、同時にユーザーは、集積アンテナ及びドッキングシステム２０から離れた場所で、以前にプレーヤー２２の記憶モジュール「Ｂ」に記憶したコンテンツを楽しむことができる。コンテンツ転送用の取り外し可能な記憶モジュール７６を含むこの別の実施において、プレーヤー２２が自身でバッテリや外部接続の充電／電力管理装置を有する場合、プレーヤー２２はドッキングステーション２６に物理的に接続する必要はなく、プレーヤーとドッキングステーションとの間のインタフェース接続を省略できるのでコスト及びサイズの点で有利になる。
【００２０】
本発明の別の例示的な実施において、コンテンツ転送用の取り外し可能な記憶モジュール７６を含み、ドッキングステーションは図３に示すような随意的なインタフェース７４”を備えている。記録する時刻及びチャンネル等のユーザーの望むコンテンツの記録パラメータの選択は、ドッキングステーション２６に未接続の期間にプレーヤー２２のユーザーインタフェースを使用して実現できる。次に、これらの記録パラメータは、目下のところインタフェース７４’を経由してプレーヤー２２に接続している取り外し可能な記憶モジュール７６に書き込まれる。その後、ユーザーがこの記憶モジュール７６をプレーヤー２２から取り外してドッキングステーションインタフェース７４”に挿入すると、ドッキングステーションの制御装置９２は、記録パラメータを取り外し可能な記憶装置１６からそのメモリ９４に転送し、このパラメータを使用して、集積アンテナモジュール２４から取り外し可能な記憶モジュール７６へ記録して格納するためのＳＤＡＲＳコンテンツの選択を案内するようになっている。この方法により、ドッキングステーションが必要とする幾つかのユーザーインタフェースを無くすことができるので（例えば、プレーヤーインタフェースコネクタ３３は、電力及びユーザーインタフェース制御信号に関するプレーヤー２２への他の入力／出力ピンを有していない以下に説明する４ピン又はソケットコネクタ１８０等の、単純にケーブル２８のインタフェースとすることができる）、ドッキングステーション２６は更に単純になりそのコストが低減し、更に、ユーザーはコンテンツの記録選択を集積アンテナ及びドッキングシステム２０から離れて行うことができるので、ユーザーの利便性が改善される。
【００２１】
集積アンテナ及びドッキングシステム２０は、随意的に、ＳＤＡＲＳシステムから記録した圧縮コンテンツを、プレーヤーがコンテンツを再生又描画すのに必要な別の圧縮形式又は非圧縮形式に変換することができる。これにより、ＳＤＡＲＳシステムが使用する元の圧縮形式のコンテンツを復号化するのに必要な復号化ハードウエア及び／又はソフトウエアをプレーヤーに追加する必要がないので、プレーヤーに課せられるコスト、電力、及びサイズ要件を更に低減することができる。更に、集積アンテナ及びドッキングシステム２０は、コンテンツをプレーヤー又は取り外し可能な記憶モジュールに転送する前に暗号化して著作権のあるコンテンツを確実に保護することができ、デジタルメディアプレーヤー内の低コストの業界標準の復号器及びデジタル著作権管理スキームを利用することができる。
【００２２】
前述のように、図３に示す例示的なドッキングステーション２６は制御装置９２及びメモリ９４を備えている。ドッキングステーションは、外部電源３０に接続することができ、自身の構成部品、並びに好ましくは前述の２本の電力ラインを経由して集積アンテナモジュール２４に電力を供給するための電力変換装置を有する。プレーヤーインタフェースコネクタ３３は、ケーブル２８から直接的に（例えば、図７に示す２線式通信ライン１６６から）、又は通信ライン１６６に接続した制御装置９２から、選択されたプログラムチャンネルを受信するようになっている。
【００２３】
本発明の別の実施形態によれば、デジタルメディアプレーヤー２２は、図４Ａ、４Ｂ、及び４Ｃに示すように携帯型受信器モジュール１００に接続している。プレーヤーモジュール２２及び受信器モジュール１００の構成部品は、図５及び図６にそれぞれ示されている。プレーヤーモジュール２２は、表示装置１３０、キーパッド１３２、及び選択コンテンツを格納するためのフラッシュ又はマイクロドライブ等の記憶装置１２６を備えている。また、プレーヤーモジュール２２は、バッテリ１２８及び充電／電力管理装置１２４、システム制御装置及びオーディオ復号器１２２、デジタルアナログコンバータ及びオーディオ増幅器モジュール１３４、バスマルチプレクサ１２０（ＴＤＭ  ＴＤＤバスマルチプレクサ等）又はプレーヤーモジュール２２から受信器モジュール１００内の対応するインタフェースへの他のインタフェースを備える。例示的な実施形態において、プレーヤー２２はプレーヤーインタフェース３２を有し、受信器モジュール１００は、プレーヤーインタフェース３２に一致して２つのデバイス２２及び１００を電気接続するようになった対応するコネクタ１０２を有している。また、プレーヤー２２は、３３で示すＵＳＢ経由でパーソナルコンピュータ（ＰＣ）に接続することができる。従って、プレーヤー２２はＰＣと一緒に作動して、受信ＳＤＡＲＳストリームからの記憶コンテンツのプレイリスト並びに別のコンテンツファイルを管理すると共に、記憶コンテンツ中をサーチしてナビゲートするようになっている。
【００２４】
図６を参照すると、受信器モジュール１００は図２の集積アンテナモジュール２４と同じであるが、受信器モジュール１００は受信器バッテリ１４２及び充電／電力管理装置１４０を更に備えている。本発明の１つの態様によれば、受信器モジュール１００はバッテリを有し、プレーヤー２２は外形寸法を小型化するために最小のバッテリを有することが好ましい。図４Ａ、４Ｂ、及び４Ｃに示すデジタルプレーヤー及び受信システムは、アンテナ４０、チューナー４２、ベースバンド処理装置４４、バッテリシステム１４０、１４２、及び受信システム制御装置６８をプレーヤー２２に接続するモジュール１００内に備えることが好都合であり、プレーヤー２２からライブで聴取するために、及びプレーヤー２２及び受信器１００の組み合わせがＳＤＡＲＳシステムのサービスエリアで作動する場合にライブコンテンツを記憶するために、プレーヤーのユーザーインタフェースで受信器モジュール１００を制御することが可能になる。従って、プレーヤー２２及び受信器モジュール１００が結合する場合、ユーザーには生のＳＤＡＲＳコンテンツを受信して再生できる携帯型システムが提供される。受信器モジュール１００が備える大型バッテリにより受信器の構成部品及びアンテナを駆動できる。しかしながら、プレーヤー２２は、受信器モジュール１００から取り外すことができ、プレーヤー２２がアンテナ４０、ＳＤＡＲＳ受信器１５４、又は受信器バッテリ１４２及び充電／電力管理モジュール１４０を含む必要がないので携帯が容易になる。換言すれば、プレーヤー２２が備えるプレーヤーバッテリ１２８を小型にすることができ、プレーヤー２２の構成部品が少なくなる。図６に示すシステム制御装置６８は、ＤＭ  ＴＤＤマルチプレクサ７０経由のプレーヤーコマンドに応答すると共に、プレーヤー２２に対してアーチスト名及び曲名等のデータを提供する。また、データは、データバス経由で提供される個人向けの交通、天気、株価情報を含むことができる。
【００２５】
受信器モジュール１００のモジュール方式は、受信器モジュールを既存のＭＰ３プレーヤーを含む多くのデジタルメディアプレーヤーに対するアドオンとして設計できるという利点をもたらす。ＴＤＭ  ＴＤＤバス１６６及びシステム制御装置６８が提供するインタフェースにより、受信器モジュール１００は、プレーヤーが接続されている場合はコマンドを受信して外部プレーヤー２２から制御すること、及びＳＤＡＲＳコンテンツを外部プレーヤー２２に供給することもできる。また、プレーヤーモジュール２２は好都合なことにアンテナ４０、受信器１５４、又は大型バッテリ１４２を必要としないので、小さな外形寸法で作ることができる。従って、ユーザーは、プレーヤー２２に格納されたＳＤＡＲＳコンテンツを再生できる小型軽量のプレーヤー装置２２を持ち運ぶか、又は携帯型装置で生のＳＤＡＲＳコンテンツを受信するためにプレーヤー２２と受信器モジュール１００とを組み合わせるという選択肢がある。
【００２６】
受信器モジュール２４及び１００は、随意的に、ＳＤＡＲＳシステムから記録した圧縮コンテンツを、プレーヤーがコンテンツを再生又は描画するのに必要な別の圧縮形式又は非圧縮形式に変換することができる。これにより、ＳＤＡＲＳシステムが使用する元の圧縮形式のコンテンツを復号化するのに必要な復号化ハードウエア及び／又はソフトウエアをプレーヤーに追加する必要がないので、プレーヤーに課せられるコスト、電力、及びサイズ要件を更に低減することができる。更に、受信器モジュール２４、１００は、コンテンツをプレーヤー２２に転送する前に暗号化して著作権のあるコンテンツを確実に保護することができ、プレーヤー２２内の低コストの業界標準の復号器及びデジタル著作権管理スキームを利用することができる。
【００２７】
図４Ａ、４Ｂ、及び４Ｃに示すシステムのバッテリ充電は、通常、プレーヤーバッテリ１２８及び受信器モジュールバッテリ１４２用の別個の充電器を必要とする。プレーヤー２２を受信器モジュール１００に結合した場合、それぞれのバッテリを充電するために２つの供給電圧が必要となるが、これを無くすためにインタフェースコネクタ内に共通の電力供給ラインを設けて両方のバッテリ充電器に充電供給電圧を供給するようになっており、両方のバッテリを１つの外部電源で同時に充電できる。
【００２８】
前述のように、ＳＤＡＲＳ受信器モジュールのモジュール方式は、ＳＤＡＪＲＳ受信器モジュールを別のメディアプレーヤーに対するアドオンとして設計できるという利点をもたらす。図７を参照して、コマンドを受信して外部メディアプレーヤーから制御されるＳＤＡＲＳ受信器モジュール等のデジタルブロードキャストシステム受信器を可能にするインタフェースの例示的な実施形態を以下に示す。インタフェースは、少なくとも２つのデバイスの各々に設けられ、リンク経由で接続されてリンク上で通信制御するようになった、デジタルトランシーバ集積回路（ＤＴＩＣ）１５６を利用して実施することが好ましい。つまり、ＤＴＩＣ１５６は、電子機器製造業者に対してＳＤＡＲＳ互換のコスト効率の良い手段をもたらす。何故なら、製造業者はＤＴＩＣをメディアプレーヤー又は他の民生用電子デバイス１５２に設けること、及び別のＤＴＩＣをメディアプレーヤー１５２に対して取り外し可能な対応するＳＤＡＲＳ受信器モジュール１５０に設けることができ、メディアプレーヤー１５２及びＳＤＡＲＳ受信器モジュール１５０がリンク経由で相互に通信できるからである。受信器モジュール１５０は、図２を参照して説明したＳＤＡＲＳ受信器１５４を備える。従って、幾つかの構成部品は図示されておらず、簡単のために図７に関連して説明されている。メディアプレーヤー１５２は、ユーザーインタフェース１６２、制御装置１６０、及びＳＤＡＲＳブロードキャストストリームから記録されたオーディオコンテンツを出力装置１６４に供給するためのアナログデジタルコンバータ（ＤＡＣ）１５８を備える。
【００２９】
製造業者は、メディアプレーヤー１５２が一般的にユーザーインタフェース１６２及び制御装置１６０をもつので、メディアプレーヤー１５２のＤＴＩＣ１５６を対応するＳＤＡＲＳ受信器モジュール１５０のＤＴＩＣ１５６に対するマスターデバイスとして作動するように設定することが好ましい。従って、ＳＤＡＲＳ受信器モジュール１５０のＤＴＩＣ１５６はスレーブデバイスとして作動するように設定することが好ましい。２つのＤＴＩＣ１５６の各々は、メディアプレーヤー１５２とＳＤＡＲＳ受信器モジュール１５０との間で伝送される、データ及びオーディオストリーム（例えば、ＳＤＡＲＳコンテンツストリームからの）を多重化して、好ましくはＥＩＡ−４２２／４８４物理インタフェースとして実装される時分割多重（ＴＤＤ）高周波シリアルリンクが形成される。例示的に、ＤＴＩＣ１５６は、ＴＤＭ  ＴＤＤバスマルチプレクサ７０を実装することができる。ＤＴＩＣ１５６は、ブロードキャストコンテンツストリームをデジタルブロードキャストシステム受信器１５４から伝送するために、及び民生用機器１５２に関連するユーザーインタフェース１６２及び制御装置１６０を経由して受信器１５４を制御するために、多数の異なる種類の民生用機器１５２に設けることができることを理解されたい。例示的に、デジタルコンテンツストリーム受信器１５０は、図６に示すＳＤＡＲＳ受信器モジュール１００とすることができる。民生用機器のユーザーインタフェース制御装置は、図５に示すプレーヤーモジュール２２とすることができる。リンクは、ＴＤＤシリアルリンク又はＥＩＡ−４２２／４８４物理インタフェース以外の規格を用いて実装することができる。
【００３０】
例示的な用途において、２つのデバイス（例えば、受信器モジュール１５０及びプレーヤーモジュール１５２）の各々は、図７に示す別のリンクで相互に接続するＤＴＩＣ１５６を備える。スレーブ側１５０において、ＤＴＩＣ１５６は、データ情報と一緒にリアルタイムＰＣＭオーディオストリームを受信するＳＤＡＲＳラジオ受信装置１５４（例えば、ラジオ受信装置は幾つかの部品のなかで特にチューナー及びベースバンド処理装置を備える）に直接インタフェース接続することができる。例示的に、ＳＤＡＲＳラジオ受信装置１５４は、ＸＭ  Ｓａｔｅｌｌｉｔｅ  Ｒａｄｉｏ社が採用したチップセットとして示されている。受信器モジュール１５０は、内部ＳＲＡＭ又は他のメモリ（図示せず）にデータを格納して、このデータを二線式シリアル通信リンク１６６上で時分割多重化する。このリンク１６６はＥＩＡ−４２２／４８５規格に準拠し、スレーブ側及びマスター側の１００メートル程度の物理的減結合をもたらす。マスター側１５２において、民生用機器のＤＴＩＣ１５６は通信データを多重分離して、これをＲＡＭ又は他のメモリ（図示せず）に格納して再生する。各々のＤＴＩＣ１５６は、シリアルフレームを同時に送受信できるが、同時にこれらをリアルタイムに多重化及び多重分離化すること、フォーマット化すること、及びその後に適切なスレーブ側又はマスター側インタフェースへ経路指定することができることを理解されたい。
【００３１】
本発明の別の実施形態によれば、図８Ａ及び８Ｂに示すようにデジタルアンテナ１７８を備える。デジタルアンテナ１７８は、前述のケーブル２８を有するＳＤＡＲＳ受信器１５４及びアンテナ４０の単一ユニットであることが好ましい。デジタルアンテナ１７８は、別のデバイス１５２のコネクタ１８４に電気接続する４ピン又はソケット型コネクタ１８０であることが好ましい。詳細には、デジタルアンテナ１７８は、ＳＤＡＲＳ又は衛星ラジオ互換の家庭用又は携帯型オーディオ製品（例えば、ホームシアターやステレオ受信器）１５２に接続することができる。家庭用又は携帯型オーディオ製品１５２は、ケーブル２８及びスレーブ側ＤＴＩＣ１５６に電気接続するためのインタフェースコネクタ１８４及びマスターＤＴＩＣ１５６を有し、スレーブ側ＤＴＩＣ１５６は、例えば、デジタルアンテナ１５６のＴＤＭ  ＴＤＤ  バスマルチプレクサ７０、並びにデジタルアンテナ１７８からＳＤＡＲＳ信号を受信して、家庭用又は携帯型オーディオ製品から再生するためのナビゲーション及びチャンネル選択を可能にするためのソフトウエアを実装する。
【００３２】
図９を参照すると、デジタルアンテナ１７８は、バッテリ１４２及び充電／電力管理装置１４０を除く、図６に関連して説明した実質的に全ての構成部品を備えることが好ましい。従って、残りの構成部品に関する説明は省略する。デジタルアンテナ１７８は、衛星ラジオ互換１５６からケーブル２８を経由して電力の供給を受けることができる。もしくは、デジタルアンテナ１７８はバッテリ電力を供給すること及び／又は外部電源に接続することができる。
【００３３】
図１０Ａ及び１０Ｂを参照すると、本発明の別の例示的な実施形態において、ＳＤＡＲＳ加入カートリッジ１９０を備えるドッキングシステムが設けられている。ドッキングステーション２６’は、単一ユニットのＳＤＡＲＳ受信器及びアンテナを備えるデジタルアンテナ１７８又は集積アンテナ２４とは対照的な、標準的なＳＤＡＲＳアンテナ４０に接続することができる。ドッキングステーションは、図８Ａ及び８Ｂに関連して説明したようにケーブル２８及びコネクタ１８０を経由してＳＤＡＲＳ互換デバイス１５２に接続することができる。ドッキングステーションは、カートリッジ１９４及び／又は携帯型メディアプレーヤー２２（図１３Ａ及び１３Ｂに示すように）に取り外し可能に接続するインタフェース又はコネクタ１９４を備える。図１１に示すように、カートリッジ１９０は、バッテリ１４２、充電／電力管理装置１４０、及びアンテナ４０を除く、図６に関連して説明した実質的に全ての構成部品を備えることが好ましい。従って、残りの構成部品に関する説明は省略する。
【００３４】
機器構成を図１０Ａ及び１０Ｂに示すドッキングステーション２６’（図１２）は、例えば、カートリッジ１９０をドッキングステーション２６’の制御装置９２、随意的にメモリ９４、並びにケーブル２８経由のプレーヤー２２又は他のデバイス１５２に電気接続するためのカートリッジコネクタ１９４を備えることができる。アンテナ４０からのＳＤＡＲＳストリームの入力は、コネクタ１９４に供給された後にカートリッジ１９０に供給される。電力は、前述のようにケーブル２８経由でプレーヤー２２又は他のデバイス１５２からドッキングステーション２６’及びカートリッジ１９０に供給することができる。
【００３５】
機器構成を図１３Ａ及び１３Ｂに示すドッキングステーション２６”（図１４）は、例えば、カートリッジ１９０をドッキングステーション２６”の制御装置９２、随意的にメモリ９４、及びプレーヤーインタフェースコネクタ３３に電気接続するためのカートリッジコネクタ１９４を備えることができる。アンテナ４０からのＳＤＡＲＳストリーム入力は、コネクタ１９４に供給された後にカートリッジ１９０に供給される。電力は、外部電源からドッキングステーション２６”、カートリッジ１９０、及びプレーヤーに供給することができる。
【００３６】
本発明は好適な実施形態を参照して説明されているが、本発明はそれらの詳細構造に限定されるものではないことを理解されたい。種々の変形例及び代替例が前述の説明から示唆され、当業者であれば他の例を考えることができる。全ての代替例は本発明の請求項で定義される範疇にあることが意図されている。
【図面の簡単な説明】
【００３７】
【図１Ａ】本発明の１つの実施形態によるデジタルメディアプレーヤーに使用できるようになっている集積アンテナ及びドッキングシステムを示す。
【図１Ｂ】本発明の１つの実施形態によるデジタルメディアプレーヤーに使用できるようになっている集積アンテナ及びドッキングシステムを示す。
【図１Ｃ】本発明の１つの実施形態によるデジタルメディアプレーヤーに使用できるようになっている集積アンテナ及びドッキングシステムを示す。
【図２】図１の集積アンテナ及びドッキングシステムと一緒に使用する集積アンテナモジュールのブロック図を示す。
【図３】図１の集積アンテナ及びドッキングシステムと一緒に使用するドッキングステーションのブロック図を示す。
【図４Ａ】本発明の１つの実施形態による携帯型で取り外し可能なデジタルメディアプレーヤー及びＳＤＡＲＳ受信システムを示す。
【図４Ｂ】本発明の１つの実施形態による携帯型で取り外し可能なデジタルメディアプレーヤー及びＳＤＡＲＳ受信システムを示す。
【図４Ｃ】本発明の１つの実施形態による携帯型で取り外し可能なデジタルメディアプレーヤー及びＳＤＡＲＳ受信システムを示す。
【図５】図４の携帯型で取り外し可能なデジタルメディアプレーヤー及びＳＤＡＲＳ受信システムと共に使用するプレーヤーモジュールのブロック図である。
【図６】図４の携帯型で取り外し可能なデジタルメディアプレーヤー及びＳＤＡＲＳ受信システムと共に使用する受信器モジュールのブロック図である。
【図７】本発明の１つの実施形態によるＳＤＡＲＳ受信器内及び民生用機器内に配置されたデジタルトランシーバ回路を示す。
【図８Ａ】本発明の１つの実施形態によるデジタルアンテナを示す。
【図８Ｂ】本発明の１つの実施形態によるＳＤＡＲＳ互換民生用機器への接続部を示す。
【図９】図８のデジタルアンテナのブロック図を示す。
【図１０Ａ】本発明の１つの実施形態によるＳＤＡＲＳ加入カートリッジを有するドッキングシステムを示す。
【図１０Ｂ】本発明の１つの実施形態によるＳＤＡＲＳ加入カートリッジを有するドッキングシステムを示す。
【図１１】図１０Ａ及び１０ＢのＳＤＡＲＳ加入カートリッジのブロック図を示す。
【図１２】図１０Ａ及び１０Ｂに示すＳＤＡＲＳ加入カートリッジ構成を有するドッキングシステムと共に使用するドッキングステーションのブロック図である。
【図１３Ａ】本発明の１つの実施形態によるＳＤＡＲＳ加入カートリッジ及びメディアプレーヤーを有するドッキングシステムを示す。
【図１３Ｂ】本発明の１つの実施形態によるＳＤＡＲＳ加入カートリッジ及びメディアプレーヤーを有するドッキングシステムを示す。
【図１４】図１３Ａ及び１３Ｂに示すＳＤＡＲＳ加入カートリッジ及びメディアプレーヤー構成を有するドッキングシステムと共に使用するドッキングステーションのブロック図である。
【図１Ａ】
2009510944.tif 000003
【図１Ｂ】
2009510944.tif 000004
【図１Ｃ】
2009510944.tif 000005
【図２】
2009510944.tif 000006
【図３】
2009510944.tif 000007
【図４Ａ】
2009510944.tif 000008
【図４Ｂ】
2009510944.tif 000009
【図４Ｃ】
2009510944.tif 000010
【図５】
2009510944.tif 000011
【図６】
2009510944.tif 000012
【図７】
2009510944.tif 000013
【図８Ａ】
2009510944.tif 000014
【図８Ｂ】
2009510944.tif 000015
【図９】
2009510944.tif 000016
【図１０Ａ】
2009510944.tif 000017
【図１０Ｂ】
2009510944.tif 000018
【図１１】
2009510944.tif 000019
【図１２】
2009510944.tif 000020
【図１３Ａ】
2009510944.tif 000021
【図１３Ｂ】
2009510944.tif 000022
【図１４】
2009510944.tif 000023
【国際調査報告】
2009510944.tif 000024
2009510944.tif 000025